(57)【要約】【課題】ユーザが音声再生装置に新しく転送された音楽データの中から、再生を所望する音声データを選定しやすくする音声再生装置、音声データ表示方法、及びプログラムを提供する。【解決手段】音声再生装置１及び音声データ転送装置３０は、外部Ｉ／Ｆ３５及びネットワークＩ／Ｆ３６から入力された音楽データ及びタグ情報を記憶部３４に記憶し、記憶部３４に記憶されたタグ情報に基づいて外部Ｉ／Ｆ３５及びネットワークＩ／Ｆ３６から新たに入力されたタグ情報の件数をＣＰＵ３１の制御によって絞り込み、絞り込まれたタグ情報を表示部８に表示するようにＣＰＵ２によって制御する。【選択図】図１
2008226354.tif 000002
【特許請求の範囲】
【請求項１】
コンテンツデータ及び当該コンテンツデータに関する情報であるコンテンツ関連情報を入力するデータ入力手段と、
前記データ入力手段から入力された前記コンテンツデータ及び前記コンテンツ関連情報を記憶する記憶手段と、
前記記憶手段に記憶された前記コンテンツ関連情報に基づいて、前記データ入力手段から新たに入力された前記コンテンツ関連情報の件数を絞り込む件数絞込み手段と、
前記件数絞込み手段によって絞り込まれた前記コンテンツ関連情報をリストとして取り扱うように制御する制御手段と、
を備えることを特徴とする音声再生装置。
【請求項２】
ネットワークを介して前記コンテンツ関連情報を取得する通信手段を備え、
前記件数絞込み手段は、前記通信手段によって取得され前記記憶手段に記憶された前記コンテンツ関連情報に基づいて、前記データ入力手段から新たに入力された前記コンテンツ関連情報の件数を絞り込むこと
を特徴とする請求項１に記載の音声再生装置。
【請求項３】
前記件数絞込み手段による絞込み対象は、前記コンテンツ関連情報に基づいた共通する一群のコンテンツを代表するコンテンツを抽出するように絞込みこと
を特徴とする請求項１又は請求項２に記載の音声再生装置。
【請求項４】
音声再生装置において、
コンテンツデータ及び当該コンテンツデータに関する情報であるコンテンツ関連情報を入力するデータ入力工程と、
前記データ入力工程で入力された前記コンテンツデータ及び前記コンテンツ関連情報を記憶する記憶工程と、
前記記憶工程に記憶された前記コンテンツ関連情報に基づいて、前記データ入力工程で新たに入力された前記コンテンツ関連情報の件数を絞り込む件数絞込み工程と、
前記件数絞込み工程で絞り込まれた前記コンテンツ関連情報をリストとして取り扱うように制御する制御工程と、
を備えることを特徴とする音声データ表示方法。
【請求項５】
コンピュータを
コンテンツデータ及び当該コンテンツデータに関する情報であるコンテンツ関連情報を入力するデータ入力手段、
前記データ入力手段から入力された前記コンテンツデータ及び前記コンテンツ関連情報を記憶する記憶手段、
前記記憶手段に記憶された前記コンテンツ関連情報に基づいて、前記データ入力手段から新たに入力された前記コンテンツ関連情報の件数を絞り込む件数絞込み手段、
前記件数絞込み手段によって絞り込まれた前記コンテンツ関連情報をリストとして取り扱うように制御する制御手段、
として機能させるためのプログラム。
【発明の詳細な説明】
【技術分野】
【０００１】
本発明は、音声再生装置、音声データ表示方法、及びプログラムに関する。
【背景技術】
【０００２】
音声データの転送ツール（例えば、Windows Media（登録商標） Player、I-tune（登録商標）など。）を用いてＰＣ（Personal Computer）などのコンピュータからディジタルオーディオプレーヤ（Digital Audio Player：以下、ＤＡＰという。）などへ音楽データを転送し、当該ＤＡＰに取り込んだ音楽データを鑑賞することが可能なシステムが知られている。ＤＡＰに備える記録媒体の容量が大きい場合、大量の音楽データをＤＡＰへ転送／保存することが可能となる。
【０００３】
ユーザは聞きたい音楽データをＤＡＰに転送／保存し、その際、ＤＡＰは保存された音楽データのタグ情報（例えば、ＭＰ３であれば、ＩＤ３情報などの音楽データに関する情報）を抽出し、そのタグ情報を基にアルバム／アーティスト／ジャンルなどといった情報をデータベース化する。
【０００４】
データベース化されたタグ情報に基づいて、再生可能な音楽データに関する情報がＤＡＰに備えるディスプレイに表示され、ユーザはこの表示に基づいて鑑賞したい音楽を検索し、再生することができる。
【０００５】
また、一度に大量の音楽データがＤＡＰに転送／保存された場合、ＤＡＰに新たに保存された音声データの中から再生したいものを選定することは困難になる。そのため、新しく転送／保存された音楽データのタグ情報に「新しく転送された音楽」という付加情報を付加してこれをデータベース化し、新しく転送／保存された音楽データのうち、例えば最新の１０曲分の音楽データに関する情報がディスプレイ表示されるようにすることで、再生する音楽を容易に選定することを可能にするシステムが知られている。
【０００６】
また、特許文献１には、ＣＤ等の可搬性記録媒体からＨＤ（Hard Disk）等の大容量記録媒体へダビングされたデータについて付加情報が自動登録される技術が開示されている。
【特許文献１】特開２００６−２９４２３６号公報
【発明の開示】
【発明が解決しようとする課題】
【０００７】
しかしながら、上記従来システムでは、新しく転送された音楽データのうち、例えば最新の１０曲分の音楽データに関する情報が所定のリストとして取り扱われる場合、一度に１０曲を超える曲数の音楽データがＤＡＰに転送されると１０曲を超えた分の音楽データに関する情報は登録やディスプレイ表示などされないこととなる。つまり、例えば、ＤＡＰに音楽データが転送された際に「新しく転送された楽曲」として登録又はそれを表示する場合、新しく転送した音楽データのうち転送順で一部しか登録又は表示されない場合がある。
【０００８】
本発明の課題は、ユーザが音声再生装置に新しく転送された音楽データの中から、再生を所望する音声データを選定しやすくする音声再生装置、音声データ表示方法、及びプログラムを提供することである。
【課題を解決するための手段】
【０００９】
請求項１に記載の発明は、音声再生装置において、
コンテンツデータ及び当該コンテンツデータに関する情報であるコンテンツ関連情報を入力するデータ入力手段と、
前記データ入力手段から入力された前記コンテンツデータ及び前記コンテンツ関連情報を記憶する記憶手段と、
前記記憶手段に記憶された前記コンテンツ関連情報に基づいて、前記データ入力手段から新たに入力された前記コンテンツ関連情報の件数を絞り込む件数絞込み手段と、
前記件数絞込み手段によって絞り込まれた前記コンテンツ関連情報をリストとして取り扱うように制御する制御手段と、
を備えることを特徴とする。
【００１０】
請求項２に記載の発明は、請求項１に記載の音声再生装置において、
ネットワークを介して前記コンテンツ関連情報を取得する通信手段を備え、
前記件数絞込み手段は、前記通信手段によって取得され前記記憶手段に記憶された前記コンテンツ関連情報に基づいて、前記データ入力手段から新たに入力された前記コンテンツ関連情報の件数を絞り込むこと
を特徴とする。
【００１１】
請求項３に記載の発明は、請求項１又は請求項２に記載の音声再生装置において、
前記件数絞込み手段による絞込み対象は、前記コンテンツ関連情報に基づいた共通する一群のコンテンツを代表するコンテンツを抽出するように絞込みこと
を特徴とする。
【００１２】
請求項４に記載の発明は、音声再生装置の音声データ表示方法において、
コンテンツデータ及び当該コンテンツデータに関する情報であるコンテンツ関連情報を入力するデータ入力工程と、
前記データ入力工程で入力された前記コンテンツデータ及び前記コンテンツ関連情報を記憶する記憶工程と、
前記記憶工程に記憶された前記コンテンツ関連情報に基づいて、前記データ入力工程で新たに入力された前記コンテンツ関連情報の件数を絞り込む件数絞込み工程と、
前記件数絞込み工程で絞り込まれた前記コンテンツ関連情報をリストとして取り扱うように制御する制御工程と、
を備えることを特徴とする。
【００１３】
請求項５に記載の発明は、プログラムにおいて、
コンピュータを
コンテンツデータ及び当該コンテンツデータに関する情報であるコンテンツ関連情報を入力するデータ入力手段、
前記データ入力手段から入力された前記コンテンツデータ及び前記コンテンツ関連情報を記憶する記憶手段、
前記記憶手段に記憶された前記コンテンツ関連情報に基づいて、前記データ入力手段から新たに入力された前記コンテンツ関連情報の件数を絞り込む件数絞込み手段、
前記件数絞込み手段によって絞り込まれた前記コンテンツ関連情報をリストとして取り扱うように制御する制御手段、
として機能させることを特徴とする。
【発明の効果】
【００１４】
本発明によれば、ユーザが音声再生装置に新しく転送された音声データの中から、再生を所望する音声データを選定しやすくする音声再生装置、音声データ表示方法、及びプログラムを提供することができる。
【発明を実施するための最良の形態】
【００１５】
以下、図面を参照して、本発明の好適な一実施形態について説明する。ただし、発明の範囲は本実施の形態に限定されない。
【００１６】
［構成］
まず、構成について説明する。
図１に、音声再生装置と音声データ転送装置との接続関係及び各装置の構成の例を示す。音声再生装置１は、ＭＰ３形式等の音声ファイルを再生する機能を有するＤＡＰ等のディジタルオーディオプレーヤである。音声データ転送装置３０は、ＭＰ３形式等の音声ファイルを音声再生装置１へ転送する機能を有するＰＣ等のコンピュータである。音声再生装置１と音声データ転送装置３０は、データの入出力が可能なようにＵＳＢケーブル等のケーブルを介して接続される。
【００１７】
図１に示すように、音声再生装置１は、ＣＰＵ２、ＲＯＭ（Read Only Memory）３、ＲＡＭ（Random Access Memory）４、記憶部５、音声処理部６、音声データ入力端子７、表示部８、操作部９、割込みコントローラ１０、外部Ｉ／Ｆ１１、及び音声データ出力端子１２を備えて構成される。
【００１８】
ＣＰＵ２は、ＲＯＭ３や記憶部５等から制御プログラムや音声データ等を取得し、ＲＡＭ４に展開し、当該制御プログラムとの協働により各部の動作の集中制御、及び各種演算を行う。
【００１９】
ＲＯＭ３は、不揮発性メモリ等によって構成されるメモリであり、各種制御プログラムやデータを記憶する。
【００２０】
ＲＡＭ４は、揮発性メモリ等から構成されるメモリであり、ＣＰＵ２による各種制御や演算の為に使用されるワークエリアである。
【００２１】
記憶部５は、ＨＤ（Hard Disk）等の大容量メモリであり、ファイル化された音声データ（以下、音声ファイルという。）やデータベース化された当該音声ファイルについてのタグ情報等を記憶する。タグ情報とは、音声ファイルに関する情報であり、トラック名、アルバム名、ジャンル名、アーティスト名等を有している。
【００２２】
音声処理部６は、音声データ入力端子７から入力されたアナログ音声データをディジタル音声データに変換し、圧縮された音声ファイル（例えば、ＭＰ３形式）にエンコードする。また、記憶部５から入力された音声ファイルをデコードし、アナログ音声データに変換し、音声データ出力端子１２に出力する。
【００２３】
音声データ入力端子７は、ＣＤプレーヤ、ＭＤプレーヤ等の外部の音記録再生装置の他、マイク等の音入力機器に接続するための端子である。
【００２４】
表示部８は、ＬＣＤ（Liquid Crystal Display）等のディスプレイを備え、このディスプレイ上に各種操作画面を表示する。
【００２５】
操作部９は、音声の再生、再生停止、早戻し、早送り、音量調整などの操作を行うための操作部である。操作部９は、ユーザによる音声再生装置１に備える図示しないボタン等の操作に応じて操作信号を生成し、割込みコントローラ１０に出力する。
【００２６】
割込みコントローラ１０は、操作部９から操作信号が入力されると、ＣＰＵ２の処理中に割込でその操作信号を出力する。
【００２７】
外部Ｉ／Ｆ１１は、音声再生装置１が外部機器との間でデータをやりとりするためのＵＳＢ端子やネットワークインタフェース等を備えるインタフェースである。外部Ｉ／Ｆ１１は、音声データを保持する音声データ転送装置３０などの装置や、インターネットなどのネットワークに接続するためのネットワーク機器等の外部機器にケーブルを介して接続され、当該装置等から出力されたデータを入力し、記憶部５に記録する。また、記憶部５に記録されたデータを出力する。
【００２８】
音声データ出力端子１２は、スピーカやヘッドフォン等の音声出力機器と接続するための端子である。
【００２９】
音声データ転送装置３０は、ＣＰＵ３１、ＲＯＭ３２、ＲＡＭ３３、記憶部３４、ネットワークＩ／Ｆ３６、及び外部Ｉ／Ｆ３５を備えて構成される。
【００３０】
ＣＰＵ３１は、ＲＯＭ３２や記憶部３４等から取得した制御プログラム等をＲＡＭ３３に展開し、当該制御プログラムとの協働により各部の動作の集中制御、及び各種演算を行う。
【００３１】
ＲＯＭ３２は、不揮発性メモリ等によって構成されるメモリであり、音声データ転送装置３０の制御に関するプログラムや各種データを記憶する。
【００３２】
ＲＡＭ３３は、揮発性メモリ等から構成されるメモリであり、ＣＰＵ３１による各種制御や演算の為に使用されるワークエリアである。
【００３３】
記憶部３４は、ＨＤ等の大容量メモリであり、外部Ｉ／Ｆ３５、ネットワークＩ／Ｆ３６等から入力した音声データ等を記憶する。
【００３４】
外部Ｉ／Ｆ３５は、音声データ転送装置３０が外部機器との間でデータをやりとりするためのＵＳＢ端子等を備えるインタフェースである。外部Ｉ／Ｆ３５は、音声再生装置１等の音声データを再生する装置にケーブルを介して接続され、記憶部３４に記憶されたデータを出力し、音声再生装置１等からデータを入力する。また、音楽ＣＤ等の記録媒体に記録されたデータを外部から入力する。
【００３５】
ネットワークＩ／Ｆ３６は、ＮＩＣ（Network Interface Card）等から構成され、ネットワーク４０の通信規約に適応したデータ伝送形式でサーバ４１とのデータ通信を行うものである。
【００３６】
ネットワーク４０は、ＬＡＮ（Local Area Network）、ＭＡＮ（Metropolitan Area Network）、ＷＡＮ（Wide Area Network）、又はインターネットから構築される通信網である。
【００３７】
サーバ４１は、ネットワーク４０に適応する通信規約により接続され、過去及び現在までに市販された音楽ＣＤに収録された音楽に関する情報（曲順、曲の再生時間、シングルカットされているか否か、アーティスト名等を含む。）をデータベース化したＣＤＤＢ（CD Database）４２を有する。
【００３８】
［動作］
次いで、動作について説明する。
図２に、アルバムＣＤに記録された音楽データを音声データ転送装置３０が音声再生装置１へ転送する際にＣＰＵ３１が行う処理の制御フローの例を示す。この処理は、アルバムＣＤに記録された音楽データが音声データ転送装置３０に備える記憶部３４に記憶され、ＣＰＵ３１が図示しない操作部等から音楽データの転送開始の制御信号を受信した際に開始する。
【００３９】
まず、転送される音楽データが記憶されていたアルバムＣＤに関する情報であるアルバム情報（例えば、アルバム名、収録曲数等）が記憶部３４から取得され（ステップＳ１）、ＲＡＭ３３に格納される（ステップＳ２）。
【００４０】
次いで、転送される音楽データに関する情報であるタグ情報が記憶部３４から取得され（ステップＳ３）、ＲＡＭ３３に格納される（ステップＳ４）。
【００４１】
次いで、音楽データの転送先である音声再生装置１に備える記憶部５に記憶されたＤＢからタグ情報が取得される（ステップＳ５）。
【００４２】
次いで、ステップＳ４にてＲＡＭ３３に格納されたタグ情報とステップＳ５にて取得されたタグ情報を比較した結果、一致するタグ情報がある場合（ステップＳ７；Ｙｅｓ）、すなわち、転送される音楽データのうち、既に音声再生装置１に格納されている音楽データがある場合、当該音楽データは代表曲である旨を示す情報である代表曲情報がタグ情報に付加され、当該タグ情報及び音楽データが外部Ｉ／Ｆ３５を介して音声再生装置１へ転送され（ステップＳ８）、この処理は終了する。
【００４３】
ここで代表曲とは、転送される音楽データのうち、共通の一群を構成する楽曲を代表する楽曲、例えば、アルバムに対するシングルカット曲や、アルバムの最初の楽曲、アルバムタイトルと同一名称の楽曲などである。
【００４４】
また、ステップＳ４にてＲＡＭ３３に格納されたタグ情報とステップＳ５にて取得されたタグ情報を比較した結果、一致するタグ情報がない場合（ステップＳ７；Ｎｏ）、すなわち、転送される音楽データと同じ音楽データは音声再生装置１に格納されていない場合、転送される音楽データに対応するタグ情報に基づいてネットワーク４０を介してサーバ４１に備えるＣＤＤＢ４２が検索され、転送される音楽データのうち、その音楽がシングルカットされている音楽データに関する情報が取得され、記憶部３４に記憶される（ステップＳ９）。
【００４５】
次いで、ステップＳ９の検索結果から得られた情報に基づいて、転送される音楽データのうちシングルカットされている音楽データに対応するタグ情報に代表曲情報が付加され、当該タグ情報及び音楽データが外部Ｉ／Ｆ３５を介して音声再生装置１へ転送され（ステップＳ１０）、この処理は終了する。
【００４６】
本実施の形態では、転送される音楽データと同じ音楽データが音声再生装置１に格納されていない場合にのみ、シングルカットされている音楽データをＣＤＤＢ４２から検索することとしたが、この形式に限定されず、常にＣＤＤＢ４２を検索し、シングルカットされている音楽データに関する情報を取得することとしても良い。
【００４７】
また、代表曲として設定される条件は、転送される音楽データの数を絞りこむことができればよく、アルバムＣＤに１曲目に収録されている、人気ランキングの上位にランキングされているといった情報に基づいて設定されることとしても良い。代表曲を設定するための情報は、必要に応じてネットワーク４０を介してＣＤＤＢ４２等の音楽に関する情報が登録されたデータベースや記憶部５等から取得される。
【００４８】
図３は、音声再生装置１に新たに転送された音楽データのうち、代表曲として設定された音楽データに関する情報が表示部８に表示される際にＣＰＵ２が行う処理の制御フローを示すフローチャートである。この処理は、新たに転送され記憶部５に記憶された音楽データのうち、代表曲として設定されている音楽データに関する情報を表示部８に表示するように、ＣＰＵ２が図示しない操作部等から制御信号を受信した際に開始する。
【００４９】
まず、新しく転送された音楽データのタグ情報が記憶部５から取得される（ステップＳ２１）。次いで、取得されたタグ情報のうち、代表曲情報を含むタグ情報が有する情報が表示部８に表示され（ステップＳ２２）、この処理は終了する。
【００５０】
以上の処理によれば、代表曲情報を含むタグ情報が有する情報のみ表示部８に表示されることとしたが、この形式に限定されない。例えば、新たに転送された全ての音楽データに対応するタグ情報が有する情報が表示され、代表曲として設定されているものは代表曲であることが認識できるように表示されるようにしてもよい。
【００５１】
図４は、新たに転送された音楽データが代表曲であるか否かが認識できるように表示部８に表示された表示画面のイメージである。図４に示すように、表示画面Ａには、新しく転送された音楽データに対応するタグ情報が有する情報のうち、音楽データのファイル名が一覧表示されている。そして、各ファイル名の先頭には代表曲であるか否かを示すためのマークが表示されている。ファイル名Ａ１の先頭には代表曲ではないことを示すマークが表示されている。ファイル名Ａ２の頭には代表曲であることを示すマークが表示されている。
【００５２】
また、本実施の形態では、タグ情報に代表曲情報を付加する処理を行う音声データ転送装置３０と代表曲情報に基づいてタグ情報を表示する音声再生装置１を異なる構成としたがこの形態に限定されず、一つの構成としても良い。すなわち、音楽データ及びタグ情報が音声再生装置１に新たに転送され、記憶部５に記憶された後、以前から記憶部５に記憶されていたタグ情報及び外部Ｉ／Ｆ１１を介してサーバ４１に備えるＣＤＤＢ４２を検索して得られた情報等に基づいて、代表曲情報をタグ情報に付加し、記憶部５に記憶することとしても良い。
【００５３】
［実施例の効果］
以上のように本実施の形態によれば、音声再生装置１及び音声データ転送装置３０は、音楽データ及びタグ情報を入力する外部Ｉ／Ｆ３５及びネットワークＩ／Ｆ３６と、外部Ｉ／Ｆ３５及びネットワークＩ／Ｆ３６から入力された音楽データ及びタグ情報を記憶する記憶部３４と、タグ情報を表示する表示部８と、記憶部３４に記憶されたタグ情報に基づいて、外部Ｉ／Ｆ３５及びネットワークＩ／Ｆ３６から新たに入力されたタグ情報の件数を絞り込むＣＰＵ３１と、ＣＰＵ３１によって絞り込まれたタグ情報を表示部８に表示するように制御するＣＰＵ２と備える。
【００５４】
このような構成とすることで、音声データ転送装置３０から音声再生装置１へ音楽データが転送された際に、音声再生装置１のユーザが新規に転送した複数の楽曲のうち所定の条件により抽出された代表曲が登録又は表示部８に表示されるため、大量の音楽データが転送されてもユーザは新規に転送された一群の楽曲を容易に把握することができる。
【００５５】
また、新たに転送する音楽データから代表曲を選定し設定する処理は、ユーザが設定操作をすることなく行われるため、ユーザが設定操作をする手間を省くことができる。
【図面の簡単な説明】
【００５６】
【図１】音声再生装置と音声データ転送装置との接続関係及び各装置の構成を示すブロック図である。
【図２】アルバムＣＤに記録された音楽データを音声データ転送装置が音声再生装置へ転送する際に音声データ転送装置が行う処理のフローチャートである。
【図３】音声再生装置に新たに転送された音声データのうち、代表曲として設定された音声データに関する情報が表示部に表示される際にＣＰＵが行う処理の制御フローを示すフローチャートである。
【図４】新たに転送された音楽データが代表曲であるか否かが認識できるように表示部に表示された表示画面のイメージである。
【符号の説明】
【００５７】
１  音声再生装置
２  ＣＰＵ
３  ＲＯＭ
４  ＲＡＭ
５  記憶部
６  音声処理部
７  音声データ入力端子
８  表示部
９  操作部
１０  割込みコントローラ
１１  外部Ｉ／Ｆ
１２  音声データ出力端子
３０  音声データ転送装置
３１  ＣＰＵ
３２  ＲＯＭ
３３  ＲＡＭ
３４  記憶部
３５  外部Ｉ／Ｆ
３６  ネットワークＩ／Ｆ
４０  ネットワーク
４１  サーバ
４２  ＣＤＤＢ
【図１】
2008226354.tif 000003
【図２】
2008226354.tif 000004
【図３】
2008226354.tif 000005
【図４】
2008226354.tif 000006